(57)【要約】【課題】  遊技台と支持枠体間に配設したセンサの不正操作を行いにくくした遊技機を提供することにある。【解決手段】  外枠１に対して開閉可能に支持され遊技者が対面して遊技を行う遊技面９を形成したパチンコ機本体４を備えたパチンコ機において、パチンコ機本体４を外枠１に対して閉塞した状態でパチンコ機本体４とパチンコ機本体４の開閉支軸６ａ側端面４ａが正対する外枠１（左部枠板１ｄ）の内面との間にパチンコ機本体４の枠板１ｄに対する開閉状態を検出するリミットスイッチ３０を配設した。これによって、リミットスイッチ３０を操作して行う遊技の不正が困難となる。【選択図】      図３
2011025076.tif 000002
【特許請求の範囲】
【請求項１】
少なくとも支持枠体と、同支持枠体に対して開閉可能に支持され遊技者が対面して遊技を行う遊技面が形成された遊技台とを備えた遊技機において、
前記遊技台を前記支持枠体に対して閉塞した状態で同遊技台と同遊技台の開閉支軸側端面が正対する同支持枠体の内面との間に同遊技台の同支持枠体に対する開閉状態を検出する検出手段を配設したことを特徴とする遊技機。
【発明の詳細な説明】
【技術分野】
【０００１】
本発明は遊技機に関し、特に支持枠体に対して遊技台を開閉する際に開閉状態を検出できる検出手段を備えた遊技機に関するものである。
【背景技術】
【０００２】
遊技機の一種である例えばパチンコ機においては遊技台としてのパチンコ機本体を開放した場合には管理室において開放の有無を報知とその時間を記録するようになっている。これは機器の保守・点検のためにホール側で開放する場合もあるが、主として遊技者側の不正を防止する観点から行われているものである。遊技者の中には不正を行う者があり。例えば釘を入りやすく調整したり、不正にセーフ球とするために扉枠等を開放する不正を行う。しかし、もっと大がかりな場合には制御機構内のＲＯＭを入れ替え（いわゆる裏ＲＯＭの不正使用）るためにパチンコ機本体を開放することがある。そのため支持枠体としての外枠とパチンコ機本体との間にパチンコ機本体の開放を検出するリミットスイッチ等の検出手段を配設するわけである。
【発明の概要】
【発明が解決しようとする課題】
【０００３】
一般にパチンコ機本体は外枠に対して回動支軸により片持ち支持されて開閉可能とされ、閉塞状態で外枠の内周面にすり合うように装着される。そのため、パチンコ機本体の開放を検出するためこのパチンコ機本体と外枠のすり合う隣接部分おいて例えば検出手段としてリミットスイッチをパチンコ機本体側に装着し、入力レバーが当接するための当接プレートなどを外枠に装着するようにしている。不正を行う者はパチンコ機本体を開放する際に若干開いた段階で隙間から指などでリミットスイッチのレバーを押さえ、リミットスイッチが入力されないように不正操作する可能性がある。特に、リミットスイッチが遊技者の正面に近い位置や回動支軸から離れたパチンコ機本体の開放によって前方に張り出してくるような位置に配設されていればこのような不正も行い易かった。
本発明は、このような従来の技術に存在する問題点に着目してなされたものである。その目的とするところは、遊技台と支持枠体間に配設した検出手段の不正操作を行いにくくした遊技機を提供するものである。
【課題を解決するための手段】
【０００４】
上記の目的を達成するために、請求項１に記載の発明では、少なくとも支持枠体と、同支持枠体に対して開閉可能に支持され遊技者が対面して遊技を行う遊技面が形成された遊技台とを備えた遊技機において、前記遊技台を前記支持枠体に対して閉塞した状態で同遊技台と同遊技台の開閉支軸側端面が正対する同支持枠体の内面との間に同遊技台の同支持枠体に対する開閉状態を検出する検出手段を配設したことをその要旨とする。
このような構成では、支持枠体に対して遊技台が閉塞状態から徐々に開放されていく際に遊技台と支持枠体との間に隙間ができていくが、開閉支軸側端面とこれが正対する支持枠体内面側は回動中心側であるため遊技台が開放されていっても支持枠体と遊技台との間の隙間は回動中心から離間した位置のようには大きくならない。更に遊技台が開放されるに従って遊技台が徐々に遊技者側に張り出してくるが、開閉支軸側端面寄りは相対的に遊技者側から見て奧側に配置されることとなる。
【発明の効果】
【０００５】
請求項１に記載された発明では、開閉支軸側端面と同端面が正対する支持枠体内面側は遊技台が開放されても隙間が大きくなることがないのでこの隙間から指などで検出手段を操作する不正操作が行いにくくなる。また、遊技台が開放されるに従って遊技台は徐々に遊技者側に張り出してくるためこの遊技台が邪魔になって回動中心側の端面及び支持枠体内面側の不正操作が行いにくくなる。
【図面の簡単な説明】
【０００６】
【図１】本発明の実施の形態のパチンコ機の扉枠及びパチンコ機本体を開放した状態の斜視図。
【図２】本実施の形態の背面図。
【図３】本実施の形態においてパチンコ機本体を開放した状態を説明する部分拡大背面図。
【図４】本実施の形態のリミットスイッチの装着状態を説明する分解斜視図。
【図５】本実施の形態のケースの断面図。
【図６】本実施の形態のリミットスイッチの状態を説明する説明図であって（ａ）はパチンコ機本体閉塞状態、（ｂ）はパチンコ機本体開放状態。
【図７】他の実施の形態のリミットスイッチの状態を説明する説明図であって（ａ）はパチンコ機本体閉塞状態、（ｂ）はパチンコ機本体開放状態。
【図８】他の実施の形態のリミットスイッチの状態を説明する説明図であって（ａ）はパチンコ機本体閉塞状態、（ｂ）はパチンコ機本体開放状態。
【図９】他の実施の形態のリミットスイッチの状態を説明する説明図であって（ａ）はパチンコ機本体閉塞状態、（ｂ）はパチンコ機本体開放状態。
【図１０】他の実施の形態のリミットスイッチの状態を説明する説明図であって（ａ）はパチンコ機本体閉塞状態、（ｂ）はパチンコ機本体開放状態。
【図１１】他の実施の形態のリミットスイッチの状態を説明する説明図であって（ａ）はパチンコ機本体閉塞状態、（ｂ）はパチンコ機本体開放状態。
【図１２】スロットマシンに応用した実施の形態の斜視図。
【図１３】同じスロットマシンを開放した状態の斜視図。
【発明を実施するための形態】
【０００７】
以下、本発明をパチンコ機に応用した実施の形態について図面に基づいて説明する。尚、以下の説明で前面側或いは表面側とは遊技者が正対する側をいい、後面側或いは背面側とはその反対側をいうものとする。また図２及び図３における説明では背面側からみた左右方向をそれぞれ左右とする。
図１に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。外枠１には遊技台としてのパチンコ機本体４が装着されている。パチンコ機本体４はヒンジ金具６の回動軸６ａを中心に回動し外枠１に対して開閉可能とされている。パチンコ機本体４の上半身には遊技盤５が装着されている。遊技盤５の前面にはほぼ垂直に配置された遊技面９が形成されている。遊技面９上には内レール１０、外レール１１、入賞口１２及び可変表示装置１３等が所定位置に配置された遊技領域１４が形成されている。尚、釘については図示が省略されている。遊技盤５の周囲は額縁状の扉枠支持フレーム７にて包囲されている。扉枠支持フレーム７はパチンコ機本体４と一体的
に形成されている。扉枠支持フレーム７の上部前面には水平方向に３つのランプ８が配設されている。
【０００８】
図２に示すように、遊技盤５の背面側には開閉可能に開閉盤としてのセット盤２２がパチンコ機本体４に対して開閉可能に装着されている。セット盤２２は上下に配設されたヒンジ部２３によってパチンコ機本体４に支持されており、盤面に散点的に配置された開閉ピン２６の引き出し及び押し込みによってパチンコ機本体４に着脱される。セット盤２２の中央付近には可変表示装置１３の制御を行う制御機構としての図柄表示装置ユニット３１が配設されている。同ユニット３１に隣接して賞球の排出等のパチンコ機の電子的制御を行う制御機構としての制御装置ユニット３２が配設されている。同両ユニット３１，３２の上方には賞球タンク３３が配設されている。賞球タンク３３の右方には入出力基盤３４が配設されている。入出力基盤３４の右側方には検出手段のセンサとしてのリミットスイッチ３０が配設されている。リミットスイッチ３０については後述する。入出力基盤３４の下方には球払い出し機構Ｐが配設されている。球払い出し機構Ｐの下方にはセーフ球処理機構Ｑが配設されている。セット盤２２の下方には遊技球発射機構Ｒが配設されている。賞球タンク３３、球払い出し機構Ｐ等にてパチンコ機本体４の（背面から見て）右端面４ａが形成されることとなる。右端面４ａの形状はパチンコ機本体４の背面に配設された各種構成部材の形状、配置位置によって一定ではないが、要はこれより側方には他の部材が存せず外枠１にパチンコ機本体４を装着した際に外枠１の左部（背面からでは右部となる）枠板１ｄの内面と正対する部分をいう。
【０００９】
図１に示すように、遊技盤５の前面には前面枠としての扉枠１５が配設されている。扉枠１５はヒンジ金具６の回動軸６ａを中心に回動しパチンコ機本体４に対して開閉可能とされている。扉枠１５は閉じられた状態で前記扉枠支持フレーム７に当接する。扉枠１５はほぼ正方形の外形を有し、中央にほぼ正方形の大型の窓穴１６が形成されている。扉枠１５上方の上梁１９には水平方向に３つの透孔２４が形成されている。透孔２４は前記扉枠支持フレーム７のランプ８に対応しており、扉枠１５を閉じた時に各ランプ８が対応する透孔２４内に配置される。上梁１９前面には半透明の装飾パネル２５が配設され、同透孔２４を覆っている。ランプ８の光は同透孔２４を通して光透過性の装飾パネル２５を明るく照らし出す。左縦枠２１には扉枠支持フレーム７に形成された鍵穴２７を（図１参照
）露出させるための台形の大きな切り欠き２８が形成されている。扉枠１５の背面側には同窓穴１６の全周囲に渡って同窓穴１６を包囲する金属製の補強フレーム２９が配設されている。
【００１０】
扉枠１５の下方には上部カバープレート３５が装着されている。上部カバープレート３５はパチンコ機本体４に対して図示しないヒンジ金具によって片持ち支持され同パチンコ機本体４に対して開閉可能とされている。上部カバープレート３５は前方に突出形成され、上面に上受け皿３６が載置されている。上部カバープレート３５の下方には下部カバープレート３７が配設されている。下部カバープレート３７はパチンコ機本体４に対して固着されている。下部カバープレート３７は前方に突出形成され、上面に下受け皿３８が載置されている。下受け皿３８は主として上受け皿３６に貯留しきれなかった遊技球を貯留するものである。下部カバープレート３７には灰皿４０が装着されている。下受け皿３８の右側方には操作ハンドル３９が取付けられている。
【００１１】
次にリミットスイッチ３０及び同リミットスイッチ３０周辺の構成について詳述する。
図２及び図３に示すように、右端面４ａの一部を構成する前記入出力基盤３４の右側方には取り付けフレーム４１が形成されている。取り付けフレーム４１には略台形に右方に突出する取り付けプレート４３が形成されている。取り付けプレート４３にはケース４５とともにリミットスイッチ３０が装着されている。図４に示すように、ケース４５は固定ネジ４６を下方位置に配設された取り付け孔４５ａから通して取り付けプレート４３に対して回動可能に装着されている。固定ねじ４６上方には長孔４７が形成されている。長孔４７には取り付けプレート４３より突設された規制ねじ４８が配置され、ケース４５の回動が規制されている。その結果、ケース４５は固定ネジ４６を回動中心として揺動可能とされる。
図５、図６（ａ）及び図６（ｂ）に示すように、固定ねじ４６及び長孔４７間には左方に開放された第１の収納部４９が形成されている。第１の収納部４９には板バネ５０が収納されている。第１の収納部４９の右方には第２の収納部５１が形成されている。第２の収納部５１は右方に開放されており、同第２の収納部５１内にはリミットスイッチ３０が収納されている。リミットスイッチ３０は第２の収納部５１内に固定された本体３０ａと検出部としてのレバー３０ｂとを備えている。レバー３０ｂは第２の収納部５１から若干右方に突出されている。
【００１２】
図４に示すように、板バネ５０は取り付けプレート４３の左方に突設された付勢プレート５２に対してケース４５を時計回り方向（右方）に付勢しており、図６（ｂ）に示すように付勢状態でケース４５は若干右方に傾斜されている。一方、図２のようにパチンコ機本体４が外枠１内に収納された状態では、図６（ａ）に示すように左部枠板１ｄの上方寄り内面によって押動された状態となり、レバー３０ｂが押圧状態とされるとともにリミットスイッチ３０もろともケース４５が板バネ５０の付勢力に抗して反時計回り方向（左方）に回動する。
【００１３】
このような構成の実施の形態１のパチンコ機の作用について説明する。
パチンコ機本体４を外枠に装着した状態（閉塞した状態、つまり、通常の遊技可能状態）においては図２及び図６（ａ）に示すように、リミットスイッチ３０もろともケース４５が板バネ５０の付勢力に抗して反時計回り方向（左方）位置とされる。このときレバー３０ｂは本体３０ａ方向に押し込まれた状態とされている。本実施の形態ではこのレバー３０ｂが本体３０ａ方向に押し込まれた状態はリミットスイッチ３０が入力されていない非検出の状態とされる。
ここで、パチンコ機本体４をヒンジ金具６の回動軸６ａを中心に開放させる（図１のように）と開放にともない左部枠板１ｄの内面のケース４５に対する押圧がなくなるためリミットスイッチ３０はケース４５もろとも板バネ５０のケース４５に対する付勢力によって時計回り方向（右方）に回動され図６（ｂ）に示す状態となる。同時にレバー３０ｂが起きあがりリミットスイッチ３０が入力されて扉枠１５が開放されたことが検出される。パチンコ機本体４を徐々に開放させていくと片持ち状態のパチンコ機本体４は切り欠き２８側から遊技者側にせり出していくが、リミットスイッチ３０はパチンコ機本体４の右端面４ａに面していてヒンジ金具６の回動軸６ａ周囲に配置されているためパチンコ機本体４開放によって逆に後方に向くこととなり遊技者側からは極めて目視されにくく、かつ不正が行いにくい位置に後退することとなる。
【００１４】
このように構成することにより本実施の形態１は次のような効果を奏する。
（１）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
（２）リミットスイッチ３０のレバー３０ｂは直接左部枠板１ｄの内面に当接するため特にレバー３０ｂの入り切りのための当接プレートのような別部材は不要となりコストの削減に寄与する。
（３）リミットスイッチ３０が収納されているケース４５は左部枠板１ｄの内面による押動と板バネ５０の付勢力によって左右に揺動するようになっている。すなわちケース４５は固定されておらずリミットスイッチ３０の配置位置の調整に裕度があるため、リミットスイッチ３０の配置作業にそれほどの技量を必要としなくてよくなる。
（４）取り付けフレーム４１自体が若干左右に撓むという可撓性を有しているため、ケース４５が揺動することと併せてリミットスイッチ３０に負荷がかかりにくくなっている。
（５）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（６）図６（ｂ）のようにパチンコ機本体４が外枠１に装着された状態で規制ねじ４８は長孔４７内の中央付近に位置しており、ケース４５は左方向へ揺動することについて若干の余裕を持っている。従って、リミットスイッチ３０には板バネ５０の付勢力以上の過負荷がかからずリミットスイッチ３０の過負荷による故障が生じにくい。
（７）リミットスイッチ３０がケース４５に収納されているため、パチンコ機の運搬・設置作業時にぶつかって故障するという不具合が生じにくい。
【００１５】
尚、この発明は、次のように変更して具体化することも可能である。
・図７（ａ）及び図７（ｂ）に示すように、取り付けフレーム４１に形成された取り付けプレート４３にケース４５を介さずに直接リミットスイッチ３０を装着してもよい。この実施の形態ではリミットスイッチ３０のレバー３０ｂは直接左部枠板１ｄの内面に当接するのではなく、中間レバー５５によって押動されるようになっている。中間レバー５５は合成樹脂製よりなる部材であって、回動軸５４によって回動可能に軸支されるとともにレバー本体５５ａは右外方に膨出してくの字状に屈曲形成されている。中間レバー５５はレバー本体５５ａの屈曲部頂点５５ｂにおいて左部枠板１ｄの内面と当接するように構成されている。屈曲部頂点５５ｂに左部枠板１ｄの内面が当接するとレバー本体５５ａ先端はリミットスイッチ３０のレバー３０ｂを押動する。このとき、レバー本体５５ａは屈曲
しているため左部枠板１ｄの内面が当接することで若干撓んでリミットスイッチ３０にかかる負荷を軽減する。
・図８（ａ）及び図８（ｂ）に示すように、取り付けフレーム４１に形成された取り付けプレート４３にケース４５を介さずに直接リミットスイッチ３０を装着してもよい。この実施の形態ではリミットスイッチ３０を入切するレバーは省略されており、中間レバー５７がそのレバーを兼ねている。中間レバー５７は合成樹脂製よりなる部材であって、回動軸５４によって回動可能に軸支されている。中間レバー５７のレバー本体５７ａは二股に分かれて構成され、外側の短脚５８と内側の長脚５９とを備えている。短脚５８は湾曲して形成され、湾曲部頂点５８ａにおいて左部枠板１ｄの内面と当接するように構成されている。長脚５９はリミットスイッチ３０の入力レバーとして機能する。
短脚５８の湾曲部頂点５８ａに左部枠板１ｄの内面が当接すると長脚５９はリミットスイッチ３０の入切ボタン３０ｃを押動する。このとき、短脚５８は湾曲しているため左部枠板１ｄの内面が当接することで若干撓んでリミットスイッチ３０にかかる負荷を軽減する。
・図９（ａ）及び図９（ｂ）に示すように、取り付けフレーム４１に形成された取り付けプレート４３にケース４５を介さずに直接リミットスイッチ３０を装着してもよい。そしてこの実施の形態ではリミットスイッチ３０のレバー６０は先端が途中で屈曲されており、斜め上方に延出する延出部６０ａが形成されている。延出部６０ａに左部枠板１ｄの内面が当接すると一体形成されたレバー５９が押動される。このとき、レバー６０の延出部６０ａが屈曲しているため左部枠板１ｄの内面が当接することで若干撓んでリミットスイッチ３０にかかる負荷を軽減する。
【００１６】
・図１０（ａ）及び図１０（ｂ）に示すように、取り付けフレーム４１に形成された取り付けプレート４３にケース４５を介さずに直接リミットスイッチ３０を装着してもよい。この実施の形態ではリミットスイッチ３０は支軸６１によって回動可能に吊り下げ支持されている。リミットスイッチ３０は取り付けプレート４３から突設したピン６３に装着されたコイルばね６２によって常時反時計回り方向（外方向）に付勢され、パチンコ機本体４の開放状態で若干斜めに保持されている。リミットスイッチ３０のレバー３０ｂに左部枠板１ｄの内面が当接して押動する。レバー３０ｂが本体３０ａ方向に押圧された状態で更に左部枠板１ｄの内面が押圧するとリミットスイッチ３０自体がコイルばね６２の付勢力に抗して時計回り方向（内方向）に回動して移動する。このように、左部枠板１ｄの内面が当接するとリミットスイッチ３０自体が揺動するためリミットスイッチ３０にかかる負荷が軽減される。
・図１１（ａ）及び図１１（ｂ）に示すように、取り付けフレーム４１に形成された取り付けプレート４３にケース４５を介さずに直接リミットスイッチ３０を装着してもよい。この実施の形態ではリミットスイッチ３０は支軸６５によって回動可能に吊り下げ支持されている。支軸６５の位置は若干リミットスイッチ３０の外方にずれているため、軸支された状態でリミットスイッチ３０は傾斜している。本実施の形態ではリミットスイッチ３０のレバー６６は内側、すわなち取り付けフレーム４１側に向いて配置されている。レバー６６は先端が途中で屈曲されており、斜め上方に延出する延出部６６ａが形成されている。
リミットスイッチ３０に左部枠板１ｄの内面が当接すると一体形成されたレバー６６の延出部６６ａ先端が取り付けフレーム４１に徐々に押し当てられていき、パチンコ機本体４が外枠１に装着された状態においてはレバー６６はリミットスイッチ３０に押圧される。このように、左部枠板１ｄの内面が当接するとリミットスイッチ３０自体が揺動するためリミットスイッチ３０にかかる負荷が軽減される。
・上記各実施の形態ではリミットスイッチ３０側は左部枠板１ｄの内面と直接当接するようになっていたが、左部枠板１ｄの内面に当接プレートのような別部材を介していてもよい。
・上記各実施の形態ではリミットスイッチ３０は入出力基盤３４の取り付けフレーム４１に装着するようになっていたが、右端面４ａであれば上下方向にずれた位置に配置することは自由である。
・左部枠板１ｄの内面側にリミットスイッチ３０を配置しても構わない。
・リミットスイッチ３０以外の検出手段であっても構わない。
【００１７】
図１２及び図１３に示すように、本発明をスロットマシンに適用してもよい。本実施の形態のスロットマシン７１は遊技台としての前扉７２の裏面にリール装置７３が装着された機種である。前扉７２は支持枠体としての外枠７４に対して回動軸７５を回動中心として回動する。前扉７２の前面には遊技面７６が形成されている。端面となるリール装置７３の側方には例えば上記図１０に示すリミットスイッチ３０が配設されている。前扉７２が外枠７４前面を封塞した状態において、外枠７４の回動軸７５側内面７４ａがリミットスイッチ３０の図示しない入力レバーと当接する。前扉７２が開放されると外枠７４の内面７４ａのリミットスイッチ３０に対する押圧は解除される。
このように構成すると、
（１）リミットスイッチ３０の配設位置が回動軸７５側にあるため外枠７４を開放しても隙間はあまり大きくならないため上記と同様不正遊技をたくらむ者がこのリミットスイッチ３０に非常に触りにくくなる。また、外枠７４の開放に伴って前扉７２が前方に張り出すためこれが邪魔となるとともにリミットスイッチ３０側（右端面）は逆に回動して背後に隠れていくためますます不正が行いにくい。
（２）リミットスイッチ３０のレバーは直接回動軸７５が外枠７４の内面７４ａに当接するため特にレバー入り切りのための当接プレートのような別部材は不要となりコストの削減に寄与する。
（３）上記同様リミットスイッチ３０自体が揺動するためリミットスイッチ３０にかかる負荷が軽減される。
その他、スロットマシン７１には図６〜図１１の各リミットスイッチ３０が応用できる。緩衝部材としての板バネ５０やコイルばね６２の他に復帰力の強いスポンジのようなものを使用してもよい。また、内面７４ａに当接プレートのような別部材を介していてもよい。
・上記スロットマシン７１ではリミットスイッチ３０はリール装置７３の側面（端面）に装着されていた。しかし、リール装置７３が外枠７４側にあるタイプのスロットマシン７１では取り付けプレートを前扉７２の裏面に固着し、この取り付けプレートを前扉７２の端面としてにリミットスイッチ３０を装着することでリミットスイッチ３０のレバーを外枠７４の内面７４ａに当接させるようにしてもよい。
・本発明はパチンコ機以外にもアレパチ、アレンジボール等の遊技機にも応用可能である等その他、本発明の趣旨を逸脱しない態様で実施することは自由である。
【００１８】
上記実施の形態から把握できる本発明のその他の技術的思想について下記に付記として説明する。
（１）支持枠体と、同支持枠体に対して開閉可能に支持された遊技機本体とを備えた遊技機において、前記遊技機本体を前記支持枠体に対して閉塞した状態で同遊技機本体と同遊技機本体の開閉支軸側端面が正対する同支持枠体の内面との間に同遊技機本体の同支持枠体に対する開閉状態を検出する検出手段を配設したことを特徴とする遊技機。
（２）支持枠体と、同支持枠体に対して開閉可能に支持され遊技面が形成された遊技盤と遊技球発射機構とを備えた遊技機本体と、同遊技盤の前面に配置され同遊技機本体に対して開閉可能に装着された前面枠とを備えた遊技機において、
前記遊技機本体を前記支持枠体に対して閉塞した状態で同遊技機本体と同遊技機本体の開閉支軸側端面が正対する同支持枠体の内面との間に同遊技機本体の同支持枠体に対する開閉状態を検出する検出手段を配設したことを特徴とする遊技機。
（３）支持枠体と、同支持枠体に対して開閉可能に支持され遊技面が形成された前扉と、同支持枠体あるいは前扉のいずれかに配設されたリール装置とを備えた遊技機において、
前記前扉を前記支持枠体に対して閉塞した状態で同前扉と同前扉の開閉支軸側端面が正対する同支持枠体の内面との間に同前扉の同支持枠体に対する開閉状態を検出する検出手段を配設したことを特徴とする遊技機。
（４）前記検出手段は前記遊技機本体（又は前扉）の開閉支軸側端面側に装着したことを特徴とする請求項１若しくは付記１〜３のいずれかに記載の遊技機。
（５）前記検出手段は前記遊技機本体（又は前扉）の開閉支軸側端面と支持枠体内面との接離により入力レバーが押動されるリミットスイッチより構成され、入力レバーは支持枠体内面と当接して入切されることを特徴とする請求項１若しくは付記１〜４のいずれかに記載の遊技機。
（６）前記検出手段は入力レバーを備え、同入力レバーへの押圧によって開閉あるいは脱着状態を検出するようにするとともに、構成部材間に緩衝部材を介して配置され、両構成部材の接近によって緩衝部材の緩衝作用を受けながら同入力レバーが押圧されることを特徴とする請求項１若しくは付記１〜５のいずれかに記載の遊技機。
（７）前記検出手段は前記遊技機本体（又は前扉）の開閉支軸側端面と支持枠体内面との接離により入力レバーが押動されるリミットスイッチより構成され、同入力レバーは同支持枠体内面と同入力レバーとの間に介在された緩衝部材によって入切されることを特徴とする請求項６に記載の遊技機。
（８）前記検出手段は前記遊技機本体（又は前扉）の開閉支軸側端面と支持枠体内面との接離により入力レバーが押動されるリミットスイッチより構成され、同リミットスイッチは吊支され同端面と支持枠体内面との接近に伴って同支持枠体内面によって揺動され同入力レバーが同端面又は支持枠体内面に当接することを特徴とする請求項１若しくは付記１〜６のいずれかに記載の遊技機。
（９）前記リミットスイッチと前記遊技機本体（又は前扉）の開閉支軸側端面との間には緩衝部材が配設されていることを特徴とする付記８に記載の遊技機。
（１０）前記入力レバーは前記遊技機本体（又は前扉）の開閉支軸側端面側に配置されていることを特徴とする付記５〜９のいずれかに記載の遊技機。
【符号の説明】
【００１９】
１…支持枠体としての外枠、１ｄ…左部枠板、４…遊技台としてのパチンコ機本体、４ａ…開閉支軸側端面としての右端面、５…遊技盤、９…遊技面、３０…検出手段としてのリミットスイッチ、５５，５７…中間レバー。
【図１】
2011025076.tif 000003
【図２】
2011025076.tif 000004
【図３】
2011025076.tif 000005
【図４】
2011025076.tif 000006
【図５】
2011025076.tif 000007
【図６】
2011025076.tif 000008
【図７】
2011025076.tif 000009
【図８】
2011025076.tif 000010
【図９】
2011025076.tif 000011
【図１０】
2011025076.tif 000012
【図１１】
2011025076.tif 000013
【図１２】
2011025076.tif 000014
【図１３】
2011025076.tif 000015